(57)【要約】【課題】光ディスクの印刷出力自動検知装置及び当該装置を備えるプリンター或いはコピー機の提供。【解決手段】本考案の光ディスクの印刷出力自動検知装置及び当該装置を備えるプリンター或いはコピー機において、自動検知装置は画像読取ユニットを備え、光ディスクに印刷した画像やデータを読み取り、画像処理ユニットによる処理後、更に照合識別ユニットで画像と元来の規格である図柄との照合を行い、印刷品質の判断を行い、印刷品質が元の規格である図柄に符合しないと判断された場合は、警告フィードバックユニットが警告通知を出し後続処理を進める。本考案は検知処理を自動化したものであり、光ディスクの印刷品質を迅速に識別し、印刷不良品を篩い分け、材料損失を防ぐために即時に通報を行うものであり、光ディスクの印刷出力効率を高め、検査のために必要な人力や時間を節約する。【選択図】図１
0003163616.tif 000002
【実用新案登録請求の範囲】
【請求項１】
光ディスクに印刷した図柄やデータを読み取る画像読取ユニットと、
前記画像読取ユニットに接続して前記画像読取ユニットの読み取った画像を分析処理をする画像処理ユニットと、
前記画像処理ユニットに接続して画像処理ユニットでの処理後の画像と元来の設計である図案との照合を行い、画像の印刷品質を判断する照合識別ユニットとにより構成されることを特徴とする光ディスクの印刷出力自動検知装置。
【請求項２】
前記画像読取ユニットは撮影機であることを特徴とする請求項１記載の光ディスクの印刷出力自動検知装置。
【請求項３】
前記照合識別ユニットは印刷画像やデータの色差、図柄やデータの曲がり、図柄やデータの誤りを識別することを特徴とする請求項１記載の光ディスクの印刷出力自動検知装置。
【請求項４】
更に警告フィードバックユニットを備え、前記警告フィードバックユニットは前記照合識別ユニットに接続し、印刷品質に不良がみられる時、前記照合識別ユニットは信号を送り警告フィードバックユニットに警告通知を出させることを特徴とする請求項１記載の光ディスクの印刷出力自動検知装置。
【請求項５】
前記警告フィードバックユニットの発する警告通知は音声或いはライトとすることを特徴とする請求項４記載の光ディスクの印刷出力自動検知装置。
【請求項６】
前記警告フィードバックユニットは電子メール或いはショートメッセージ方式で警告通知を発することを特徴とする請求項４記載の光ディスクの印刷出力自動検知装置。
【請求項７】
前記警告フィードバックユニットは無線伝送装置とし、即時に印刷不良メッセージを無線で監視端に送信することを特徴とする請求項４記載の光ディスクの印刷出力自動検知装置。
【請求項８】
図柄やデータを光ディスク表面に印刷する光ディスク印刷ユニットと、
前記光ディスク印刷ユニットが光ディスクに印刷した図柄やデータを読み取る画像読取ユニットと、
前記画像読取ユニットに接続して前記画像読取ユニットの読み取った画像を分析処理をする画像処理ユニットと、
前記画像処理ユニットに接続して前記画像処理ユニット処理後の画像と元来の設計である図柄との照合を行い、画像の印刷品質を判断する照合識別ユニットと、
前記照合識別ユニットによる印刷不良信号を受け取ると印刷不良の光ディスクを掴み取り光ディスク配置区に置くように機器アームを駆動する自動制御ユニットとにより構成される光ディスクの印刷出力自動検知装置を備えるプリンター。
【請求項９】
前記画像読取ユニットは撮影機であることを特徴とする請求項８記載の光ディスクの印刷出力自動検知装置を備えるプリンター。
【請求項１０】
前記照合識別ユニットは印刷画像やデータの色差、図柄やデータの曲がり、図柄やデータの誤りを識別することを特徴とする請求項８記載の光ディスクの印刷出力自動検知装置を備えるプリンター。
【請求項１１】
前記自動制御ユニットは光ディスクの挟み込みの失敗、光ディスクの粘着、何も挟んでいない等の問題を探知することを特徴とする請求項８記載の光ディスクの印刷出力自動検知装置を備えるプリンター。
【請求項１２】
更に警告フィードバックユニットを備え、前記警告フィードバックユニットは前記照合識別ユニットに接続し、印刷品質に不良がみられる時、前記照合識別ユニットは即刻信号を送り警告フィードバックユニットに警告通知を出させることを特徴とする請求項８記載の光ディスクの印刷出力自動検知装置を備えるプリンター。
【請求項１３】
データを光ディスクにコピーするコピー機部と、
機器アームと光ディスク配置区とを設け、機器アームを使って光ディスク配置区上で光ディスクをつかみ取り放させる自動制御ユニットと、
画像やデータを光ディスク表面に印刷する光ディスク印刷ユニットと、
光ディスクに印刷した画像やデータを読み取る画像読取ユニットと、前記画像読取ユニットに接続して読み取った画像を分析処理する画像処理ユニットと、前記画像処理ユニットに接続して前記画像処理ユニットでの処理後の画像と元来の設計である図柄との照合を行い画像の印刷品質を判断する照合識別ユニットとを備える自動検知装置とにより構成される光ディスクの印刷出力自動検知装置を備えるコピー機。
【請求項１４】
更に警告フィードバックユニットを含み、前記照合識別ユニットに接続する前記警告フィードバックユニットは印刷品質に不良が見られると、照合識別ユニットは即刻信号を送り警告フィードバックユニットに警告通知を出させることを特徴とする請求項１３記載の光ディスクの印刷出力自動検知装置を備えるコピー機。
【請求項１５】
前記自動制御ユニットは前記照合識別ユニットによる印刷不良信号を受け取ると印刷不良の光ディスクを掴み取り光ディスク配置区に置くように機器アームを駆動することを特徴とする請求項１３記載の光ディスクの印刷出力自動検知装置を備えるコピー機。
【請求項１６】
前記画像読取ユニットは撮影機とし、前記光ディスク印刷ユニットには光ディスクを置くためのトレイを設け、前記画像読取ユニットはトレイの上方に設けることを特徴とする請求項１３記載の光ディスクの印刷出力自動検知装置を備えるコピー機。
【考案の詳細な説明】
【技術分野】
【０００１】
本考案は光ディスクの印刷出力自動検知装置に関し、特に光ディスクの印刷品質を自動的に識別する検知装置に係る。
【背景技術】
【０００２】
一般に独立式のコピー装置は制御本体と複数のコピー機の組み合わせにより構成されるもので、空の光ディスクをコピー作業を行った後、光ディスク表面に図案やデータを印刷したい場合は別のプリンターで印刷するか、印刷した図案やデータを人工的に光ディスク上に貼り付けなければならず、時間も労力もかかる。そこで本考案の出願人は特許文献１の「コピー装置」においてこの問題を解決した。前記装置は制御本体とコピー機部とプリンター部との嵌入式組み合わせによる設計で、機器アームが光ディスク配置区において光ディスクをキャッチし放してデータをコピーするもので、コピー済みの光ディスクをキャッチしてプリンター部で放し、プリンター部によって図案はコピー済みの光ディスク表面上に印刷され、コピーと印刷を共に完成する効果を備える装置である。
【０００３】
しかし光ディスクの印刷品質は、プリンター部の問題或いは光ディスクの挟み込みの失敗、または光ディスクをプリンター部のトレイに載せる際の位置のズレ等により不良が生じることもあり、図柄のゆがみ、図柄の誤り、色差等の問題さえも起こりうる。そこで、コピー済みの光ディスクを大量印刷する場合には発生可能のある操作ミスに対して何らかの防止策を考え、通報メカニズムを構築し、光ディスクの印刷品質及び効率を向上させ、光ディスクの印刷に生じる材料損失を抑えなければならない。
【先行技術文献】
【特許文献】
【０００４】
【特許文献１】台湾実用新案出願公告第０９９２１１４３７号明細書
【考案の概要】
【考案が解決しようとする課題】
【０００５】
本考案の目的は光ディスクの印刷出力自動検知装置及び当該装置を備えるプリンター或いはコピー機を提供することにあり、それは、画像読取ユニットによって読み取られた光ディスクに印刷される画像に対し画像処理、照合を経て更に印刷品質の判断が行われるが、品質不良であると判断された場合、警告フィードバックユニットが警告通知を出して後続処理に役立て、自動化及び即時の検知処理によって光ディスクの印刷品質が迅速に識別され印刷の不良品を篩い分ける故、検査のための人力や時間を省け印刷品質に良好な管理が施される。
【課題を解決するための手段】
【０００６】
前述目的を達成するために、本考案の光ディスクの印刷出力自動検知装置が採用する技術手段は次の通りである。
【０００７】
画像読取ユニットと画像処理ユニットと照合識別ユニットとを備える光ディスク印刷出力自動検知装置において、前記画像読取ユニットは光ディスクに印刷した図柄やデータを読み取るためのもので、前記画像処理ユニットは前記画像読取ユニットに接続して前記画像読取ユニットの読み取った画像を分析処理するためのもので、前記照合識別ユニットは前記画像処理ユニットに接続して画像処理ユニット処理後の画像と元来の規格である図柄との照合を行い、画像の印刷品質を判断するためのものである。
【０００８】
本考案は更に警告フィードバックユニットを備え、前記警告フィードバックユニットは前記照合識別ユニットに接続し、印刷品質が悪い時、前記照合識別ユニットは信号を送り警告フィードバックユニットに警告通知を出させて、後続処理に役立たせる。
【０００９】
本考案の光ディスクの印刷出力自動検知装置を備えるプリンターは次の技術手段を採用する。
【００１０】
光ディスク印刷ユニットと画像読取ユニットと画像処理ユニットと照合識別ユニットと自動制御ユニットとを備える光ディスク印刷出力自動検知装置を備えるプリンターにおいて、前記光ディスク印刷ユニットは画像データを光ディスク表面に出力するためのもので、前記画像読取ユニットは前記光ディスク印刷ユニットが光ディスクに出力した図柄やデータを読み取るためのもので、前記画像処理ユニットは前記画像読取ユニットに接続して前記画像読取ユニットの読み取った画像を分析処理するためのもので、前記照合識別ユニットは前記画像処理ユニットに接続して前記画像処理ユニット処理後の画像と元来の規格である図柄との照合を行い、画像の印刷品質を判断するためのもので、前記自動制御ユニットは前記照合識別ユニットの印刷不良信号を受け取ると機器アームを駆動して印刷不良の光ディスクを掴み光ディスク配置区に置くためのものである。
【００１１】
本考案のプリンターは更に警告フィードバックユニットを備え、前記警告フィードバックユニットは前記照合識別ユニットに接続し、印刷品質に不良がみられた時、照合識別ユニットは信号を送り警告フィードバックユニットに警告通知を出させて後続処理に役立たせる。
【００１２】
本考案の光ディスクの印刷出力自動検知装置を備えるコピー機は、コピー機部と自動制御ユニットと光ディスク印刷ユニットと自動検知装置とにより構成され、前記コピー機部はデータを光ディスクにコピーするためのもので、前記自動制御ユニットには機器アームと光ディスク配置区とを設け、機器アームを使ってキャッチした光ディスクを光ディスク配置区上で放し、前記光ディスク印刷ユニットは画像データを光ディスク表面に印刷するためのもので、前記自動検知装置は画像読取ユニットを備え、光ディスクに印刷した画像やデータを読み取るためのもので、画像処理ユニットは画像読取ユニットに接続し、前記画像処理ユニットは読み取った画像を分析処理するためのもので、前記照合識別ユニットは前記画像処理ユニットに接続して画像処理ユニット処理後の画像と元来の設計である図柄との照合を行い、画像の印刷品質を判断するためのものである。
【００１３】
本考案のコピー機は更に警告フィードバックユニットを備え、前記警告フィードバックユニットは前記照合識別ユニットに接続し、印刷品質が悪い時、前記照合識別ユニットが信号を送ると警告フィードバックユニットは警告通知を発して後続処理を助ける役割を果たす。
【考案の効果】
【００１４】
本考案の光ディスクの印刷出力自動検知装置及び当該装置を備えるプリンター或いはコピー機は、自動化及び即時の検知処理によって光ディスクの印刷品質が迅速に識別され印刷の不良品を篩い分ける故、検査のための人力や時間を省け印刷品質に良好な管理を施す効果を有する。
【図面の簡単な説明】
【００１５】
【図１】本考案の実施例に関するブロック図である。
【図２】本考案の自動検知装置を含むコピー機に関する立体図である。
【図３】本考案の自動検知装置を含むコピー機に関する側面図である。
【考案を実施するための形態】
【００１６】
本考案のその他の特徴及び具体的な実施例については次の図面を組み合わせた詳細説明にて更に理解可能である。
【００１７】
図１に本考案の実施例に関するブロック図を示す。本考案の光ディスクの印刷出力自動検知装置１０は画像読取ユニット１１と画像処理ユニット１２と照合識別ユニット１３とを備える。前記画像読取ユニット１１は光ディスクに印刷した図柄やデータを読み取るためのもので、それは撮影機であり、光ディスクに印刷した図柄やデータ等の画像を録画し画像処理ユニット１２に伝送するもので、前記画像処理ユニット１２は画像読取ユニット１１に接続して前記画像読取ユニット１１の読み取った画像を分析処理するためのもので、画像処理ユニット１２は画像処理ソフトによって読み取った画像を分析処理するもので、画像処理ユニット１２に接続する前記照合識別ユニット１３は人工知能ユニットであり、画像処理ユニット１２処理後の画像と元来の規格である図柄との照合を行い、画像の印刷品質を判断し、色差がないかどうか、図柄が誤っていないか、図柄の曲がりがないかどうか等印刷不良現象を判断する。
【００１８】
本考案は更に照合識別ユニット１３に接続する警告フィードバックユニット１４を備え、照合識別ユニット１３が印刷品質の不良を判断した時、即座に信号を送ると警告フィードバックユニット１４は警告通知を発し後続処理に役立てる。前記警告は音声やライト、または電子メールやショートメッセージとして監視端に知らせる。前記警告フィードバックユニット１４は無線伝送装置とすることも可能であり、即時に印刷品質の不良メッセージを無線で監視端に送信して後続処理を行わせる。
【００１９】
本考案は自動検知装置１０のプリンターを備え、更に自動制御ユニット２０と光ディスク印刷ユニット３０を備える。前記自動制御ユニット２０には機器アームと光ディスク配置区（未図示）とを設け、光ディスク配置区には印刷待ちトレイ区と印刷済みトレイ区と印刷不良トレイ区とを備える。自動制御ユニット２０は機器アームが自動的に光ディスクをつかみ取り表面の印刷作業を行うのをコントロールし、同時に光ディスクの挟み込みの失敗、光ディスクの粘着、何も挟んでいない等の問題を探知する。自動制御ユニット２０は自動検知装置１０が発信した印刷不良信号を受信し、印刷不良の光ディスクをつかみ取り印刷不良トレイ区に動かさせるよう機器アームを駆動する。光ディスク印刷ユニット３０は図柄やデータを光ディスクの表面に印刷するためのもので、自動検知装置１０は、印刷完了後即座に印刷が成功したか不良であるかを照合判断する。こうして自動検知装置１０の自動化処理により光ディスクの印刷品質を迅速に識別し、印刷不良品を篩い分ける故、検査のための人力や時間を節約し、印刷品質に対し良好な管理が行える。
【００２０】
図２及び図３に本考案の本考案の自動検知装置を含むコピー機に関する立体図及び側面図を示す。前記の光ディスクの印刷自動検知装置は独立式のコピー機に応用可能であり、前記コピー機は制御パネル４０とコピー機部５０と自動制御ユニット２０と光ディスク印刷ユニット３０と自動検知装置１０とを備える。前記制御パネル４０にはプッシュボタン、ディスプレイ等の操作インターフェースを設ける。前記コピー機部５０にはデータを光ディスクにコピーするための少なくとも一つのコピー機を備える。前記自動制御ユニット２０は機器アーム２１と光ディスク配置区２２を備え、前記光ディスク配置区２２にはコピー待ちトレイ区とコピー印刷済みトレイ区とコピー印刷不良トレイ区等の異なるトレイ区を設けて異なる用途を区分する。前記光ディスク印刷ユニット３０は図柄やデータをコピー済みの光ディスク表面に印刷するためのもので、それには光ディスクを置くトレイ３１を設ける。また、自動検知装置１０には前述の如く画像読取ユニット１１を備え、前記画像読取ユニット１１はトレイ３１の上方に設けて光ディスクに印刷した画像を読み取り、処理、照合、判断を行う。  
【００２１】
コピー機部５０が光ディスクのコピーを完了した後、自動制御ユニット２０は即刻機器アームに自動的に光ディスクをつかみ取らせ光ディスク印刷ユニット３０まで動かし、そこで表面の印刷作業を行い、同時に、光ディスクの挟み込みの失敗、光ディスクの粘着、何も挟んでいない等の問題を探知する。光ディスクの印刷が完了すると、自動検知装置１０で画像の読み取り、処理、照合、判断が行われ、印刷品質が合格か不合格であるかを自動識別する。印刷品質に不良がみられる場合、自動制御ユニット２０は自動検知装置１０の発信した印刷不良信号を受信し、印刷不良の光ディスクをつかみ取り印刷不良トレイ区に動かすよう機器アーム２１を駆動し、警告フィードバックユニット１４を通して警告通知させる。
【００２２】
前述した通り、本考案の自動検知は検査するための人力や時間を省き、迅速に光ディスクの印刷品質を識別し印刷の不良品を篩い分けする故、確実に本考案の目的を達成し特許要件に符合するものである。
【００２３】
但し前述したものは単に本考案の良好な実施例であり、これによって実施範囲を制限するものではなく、本業界の熟知者が変化や修飾を行えることは明らかである故、これらは全て本考案の実質内容から逸脱しないものと見做す。
【産業上の利用可能性】
【００２４】
本考案は実用新案の要件である新規性を備え、従来の同類製品に比べ十分な進歩を有し、実用性が高く、社会のニーズに合致しており、産業上の利用価値は非常に大きい。
【符号の説明】
【００２５】
１０    自動検知装置
１１    画像読取ユニット
１２    画像処理ユニット
１３    照合識別ユニット
１４    警告フィードバックユニット
２０    自動制御ユニット
２１    機器アーム
２２    光ディスク配置区
３０    光ディスク印刷ユニット
３１    トレイ
４０    制御パネル
５０    コピー機部
【図１】
0003163616.tif 000003
【図２】
0003163616.tif 000004
【図３】
0003163616.tif 000005